(57)【要約】【課題】  所望の妨害画像を用いて盗撮防止処理をする。  【解決手段】  妨害画像データ生成部１３a〜nは、与えられた引数に対応した妨害画像データを生成する。引数付与部１５は、各妨害画像データ生成部１３a〜nが異なる妨害画像データを生成するよう、引数を与える。中間周波数成分除去手段５は、妨害画像データ生成部１３a〜nから妨害画像データが与えられると、この妨害画像データを表示した場合に、人間が当該妨害画像データを認識できないように、時空間コントラスト感度に関してその下限設定値よりも高く、かつ、上限設定値よりも低い周波数成分を除去する。重畳手段７は、前記除去後の妨害画像を、入力画像に重畳させる。【選択図】  図１
2012060286.tif 000002
【特許請求の範囲】
【請求項１】
ホールド型表示装置における表示画像の盗撮防止装置であって、
任意の妨害画像データが与えられると、時間または空間コントラスト感度に関して、前記妨害画像データを表示した場合に人間が当該妨害画像データを認識できる周波数成分を除去する特定周波数成分除去手段、
前記除去後の妨害画像を、入力画像に重畳させる重畳手段、
を備えたことを特徴とする盗撮防止装置。
【請求項２】
請求項１の盗撮防止装置において、
前記特定周波数成分除去手段は、時間または空間コントラスト感度に関して前記妨害画像データを表示した場合に人間が当該妨害画像データを認識できる下限設定値よりも高く、かつ、その上限設定値よりも低い周波数である中間周波数成分を除去すること、
を特徴とする盗撮防止装置。
【請求項３】
請求項１または請求項２の盗撮防止装置において、
前記特定周波数成分除去手段は、前記中間周波数よりも高い高周波成分または、前記中間周波数よりも低い低周波成分をも除去すること、
を特徴とする盗撮防止装置。
【請求項４】
請求項１〜請求項３のいずれかの盗撮防止装置において、
妨害画像データを生成して、前記特定周波数成分除去手段に与える手段であって、下記1)、2)を有する妨害画像データ生成手段、
1)引数が与えられると妨害画像データを生成する、複数の妨害画像データ生成部、
2)前記各妨害画像データ生成器が異なる妨害画像データを生成するよう、引数を与える引数付与部、
を備えたことを特徴とする盗撮防止装置。
【請求項５】
請求項４の盗撮防止装置において、
前記各妨害画像データ生成部は、列配置されており、同じ引数が与えられる場合には、同じ妨害画像を生成する生成部を有しており、
前記引数付与部が、前記各生成部に対して与える引数は、その配置位置に応じて、順次大きくまたは小さくなる値であること、
を特徴とする盗撮防止装置。
【請求項６】
請求項４の盗撮防止装置において、
前記引数付与手段から前記各妨害画像データ生成器に与えられる引数は１つであり、
前記各妨害画像データ生成器は、同じ引数が与えられた場合に生成する妨害画像データが列配置されている位置によって、異なるよう構成されていること、
を特徴とする盗撮防止装置。
【請求項７】
請求項１〜３のいずれかの盗撮防止装置において、
複数フレームの妨害画像データを記憶する妨害画像データ記憶手段を備え、
前記特定周波数成分除去手段は、前記複数フレームの妨害画像データを用いて、前記妨害画像データを表示した場合に人間が当該妨害画像データを認識できる周波数成分を時間コントラスト感度に関して除去すること、       
を特徴とする盗撮防止装置。
【請求項８】
請求項７の盗撮防止装置において、
前記妨害画像データ記憶手段は、前記特定周波数成分除去手段が除去する下限設定値周波数成分の少なくとも1周期分の画像を記憶できる数のフレームメモリを有すること、
を特徴とする盗撮防止装置。
【請求項９】
請求項１の盗撮防止装置において、
妨害画像データを生成して、前記特定周波数成分除去手段に与える妨害画像データ生成手段であって、下記1)〜4)を有する妨害画像データ生成手段、
1)妨害画像として表示する図形または文字を基礎画像として記憶する基礎画像記憶手段、
2)前記基礎画像の表示位置をランダムに決定する表示位置決定手段、
3)前記基礎画像の表示位置および前記基礎画像が与えられると、前記基礎画像を前記表示位置に表示させた画像を生成する画像生成器が複数、列方向配置された列方向配置画像生成器、
4)前記複数の画像生成器に対して、それぞれ1フレームずつ遅延した位置情報を前記妨害画像生成手段にあたえる遅延手段、
を備えたことを特徴とする盗撮防止装置。
【請求項１０】
請求項１の盗撮防止装置において、
1フレームの一部領域の妨害画像データを生成して、前記中間周波数成分除去手段に与える妨害画像データ生成手段であって、下記1)〜3)を有する妨害画像データ生成手段、
1)1フレームの一部領域分の妨害画像データを生成する画像生成器が複数、列方向配置された列方向配置画像生成器、
2)前記複数の画像生成器から複数の妨害画像を出力する妨害画像生成手段、
3)前記列方向配置された画像生成器に対して、それぞれ1フレーム分遅延した位置情報を前記妨害画像生成手段にあたえる遅延手段、
を備えたことを特徴とする盗撮防止装置。
【請求項１１】
請求項１〜１０のいずれかの盗撮防止装置において、
前記特定周波数成分除去手段から出力された前記除去後の妨害画像に対してマスキング逆特性処理を行うマスキング逆特性選択除去手段であって、
下記を備えたこと、
a)閾値を記憶する閾値記憶手段、
b)入力画像について、隣接する画素との関係で、コントラストの微分値が前記閾値よりも小さい場合には、前記除去後の妨害画像のダイナミックレンジを減衰させる減衰手段、
を特徴とする盗撮防止装置。
【請求項１２】
請求項１〜請求項１１のいずれかの盗撮防止装置を有するホールド型表示装置。
【発明の詳細な説明】
【技術分野】
【０００１】
この発明は、盗撮防止装置に関し、特に任意の妨害画像を用いた妨害処理に関する。
【背景技術】
【０００２】
デジタル情報については、各種の研究機関において、端末にＵＳＢメモリ等の外部記憶媒体が接続できないようにすることにより、秘密の漏洩防止を図っている。
【０００３】
従来、ブラウン管のように、インパルス型表示装置では、発光期間が数μ秒から数十μ秒であり、カメラのシャッター開口時間に画素が光っているとは限らなかった。したがって、画面をカメラで撮像されても、黒い帯状の妨害が生じた。
【０００４】
一方、液晶モニタのようにホールド型の表示装置では、フレーム周期と同じ期間で発光がなされている。したがって、超小型の撮像手段であるカメラを持ち込めば、デジタル情報を画面に表示して、撮影されれば、秘密情報が漏れるおそれがあった。
【０００５】
特許文献１には映画のスクリーンに所定の周波数について人間が認識できないような周期性のある可視光を重畳させることにより、カメラで撮像した場合に画面に表示された画像がそのまま撮影できないようにする技術が開示されている。
【先行技術文献】
【特許文献】
【０００６】
【特許文献１】特開2003-110967号公報
【発明の概要】
【発明が解決しようとする課題】
【０００７】
しかし、特許文献１では、特定の周期性を有する妨害画像を重畳のみであり、妨害画像として任意の静止画、動画などを用いることはできない。
【０００８】
本発明は、任意の画像を用いた盗撮防止装置またはその方法を提供することを目的とする。
【課題を解決するための手段】
【０００９】
(1)本発明にかかる盗撮防止装置は、ホールド型表示装置における表示画像の盗撮防止装置であって、任意の妨害画像データが与えられると、時間または空間コントラスト感度に関して、前記妨害画像データを表示した場合に人間が当該妨害画像データを認識できる周波数成分を除去する特定周波数成分除去手段、前記除去後の妨害画像を、入力画像に重畳させる重畳手段、を備えている。
【００１０】
したがって、任意の妨害画像を用いて人間には認識されにくいが、撮像装置では妨害画像が表示される盗撮防止装置を提供することができる。
【００１１】
(2)本発明にかかる盗撮防止装置においては、前記特定周波数成分除去手段は、時間または空間コントラスト感度に関して前記妨害画像データを表示した場合に人間が当該妨害画像データを認識できる下限設定値よりも高く、上限設定値よりも低い周波数である中間周波数成分を除去する。したがって、人間が認識しにくい中間周波数成分が除去された妨害画像を重畳することができる。
【００１２】
(3)本発明にかかる盗撮防止装置においては、前記特定周波数成分除去手段は、前記中間周波数よりも高い高周波成分または、前記中間周波数よりも低い低周波成分をも除去する。したがって、通常のハイパスフィルタまたはローパスフィルタにより前記妨害画像を重畳できる。
【００１３】
(4)本発明にかかる盗撮防止装置においては、妨害画像データを生成して、前記特定周波数成分除去手段に与える手段であって、下記1)、2)を有する妨害画像データ生成手段を備えている。1)引数が与えられると妨害画像データを生成する、複数の妨害画像データ生成部、2)前記各妨害画像データ生成器が異なる妨害画像データを生成するよう、引数を与える引数付与部。これにより時間コントラスト感度を演算するために、妨害画像を記憶させておくフレームメモリが不要となる。
【００１４】
(5)本発明にかかる盗撮防止装置においては、前記各妨害画像データ生成部は、列配置されており、同じ引数が与えられる場合には、同じ妨害画像を生成する生成部を有しており、前記引数付与部が、前記各生成部に対して与える引数は、その配置位置に応じて、順次大きくまたは小さくなる値である。したがって、時間コントラスト感度を演算するための妨害画像を簡易に生成することができる。
【００１５】
(6)本発明にかかる盗撮防止装置においては、前記引数付与手段から前記各妨害画像データ生成器に与えられる引数は１つであり、前記各妨害画像データ生成器は、同じ引数が与えられた場合に生成する妨害画像データが列配置されている位置によって、異なるよう構成されている。したがって、時間コントラスト感度を演算するための妨害画像を簡易に生成することができる。
【００１６】
(7)本発明にかかる盗撮防止装置においては、複数フレームの妨害画像データを記憶する妨害画像データ記憶手段を備え、前記特定周波数成分除去手段は、前記複数フレームの妨害画像データを用いて、前記妨害画像データを表示した場合に人間が当該妨害画像データを認識できる周波数成分を時間コントラスト感度に関して除去する。したがって、時間コントラスト感度を演算するために、妨害画像を記憶させ、前記妨害画像データを生成することができる。
【００１７】
(8)本発明にかかる盗撮防止装置においては、前記妨害画像データ記憶手段は、前記特定周波数成分除去手段が除去する下限設定値の周波数成分の少なくとも1周期分の画像を記憶できる数のフレームメモリを有する。したがって、時間コントラスト感度を演算するために、妨害画像を記憶させ、前記妨害画像データを生成することができる。
【００１８】
(9)本発明にかかる盗撮防止装置においては、妨害画像データを生成して、前記特定周波数成分除去手段に与える妨害画像データ生成手段であって、下記1)〜4)を有する妨害画像データ生成手段を備えている。1)妨害画像として表示する図形または文字を基礎画像として記憶する基礎画像記憶手段、2)前記基礎画像の表示位置をランダムに決定する表示位置決定手段、3)前記基礎画像の表示位置および前記基礎画像が与えられると、前記基礎画像を前記表示位置に表示させた画像を生成する画像生成器が複数、列方向配置された列方向配置画像生成器、4)前記複数の画像生成器に対して、それぞれ1フレームずつ遅延した位置情報を前記妨害画像生成手段にあたえる遅延手段。したがって、前記基礎画像を適宜位置を変更して表示する妨害画像を生成することができる。
【００１９】
(10)本発明にかかる盗撮防止装置は、1フレームの一部領域の妨害画像データを生成して、前記中間周波数成分除去手段に与える妨害画像データ生成手段であって、1)1フレームの一部領域分の妨害画像データを生成する画像生成器が複数、列方向配置された列方向配置画像生成器、2)前記複数の画像生成器から複数の妨害画像を出力する妨害画像生成手段、3)前記列方向配置された列方向配置画像生成器に対して、それぞれ1フレーム分遅延した位置情報を前記妨害画像生成手段にあたえる遅延手段、を有する妨害画像データ生成手段を備えている。したがって、一部領域についてのみ、妨害画像を与えることができる。
【００２０】
(11)本発明にかかる盗撮防止装置は、前記特定周波数成分除去手段から出力された前記除去後の妨害画像に対してマスキング逆特性処理を行う手段であって、1)閾値を記憶する閾値記憶手段、2)入力画像について、隣接する画素との関係で、コントラストの微分値が前記閾値よりも小さい場合には、前記除去後の妨害画像のダイナミックレンジを減衰させる減衰手段を有するマスキング逆特性選択除去手段を備えている。したがって、より確実に妨害画像を人間の目に認識されにくくすることができる。
【００２１】
なお、本明細書において「時間コントラスト感度関数」とは、時間コントラスト感度関数を、「空間コントラスト感度関数」とは、空間コントラスト感度関数を、「時空間コントラスト感度関数」とは、空間コントラスト感度および時間コントラスト感度の双方のコントラスト感度関数をいう。
【００２２】
「妨害画像データ生成手段」は、例えば、図２に示す実施形態では、タイミング生成部２２および妨害画像発生器２３a〜nが該当する。「中間周波数成分除去手段」は、図２に示す実施形態では、コントラスト感度特性の逆フィルタ２１が該当する。
【００２３】
また「人間が当該妨害画像データを認識できる周波数成分を除去する」とは、少なくとも、人間が認識できる周波数成分を除去することを意味する。
【００２４】
下記実施形態においては、「列方向配置」として、図３，図４に示すようにロゴ画像発生器３５a〜３５n、妨害画像エリア発生器５５a〜５５nでは、１列に配置する場合としたが、機能的に順列に配置されていればよい。
【図面の簡単な説明】
【００２５】
【図１】盗撮防止装置１の機能ブロック図である。
【図２】盗撮防止装置１の詳細ブロック図である。
【図３】他の実施形態を示す図である。
【図４】他の実施形態を示す図である。
【図５】マスキング特性を示す図である。
【図６】マスキング特性を示す図である。
【発明を実施するための形態】
【００２６】
以下、本発明における実施形態について、図面を参照して説明する。
【００２７】
（１.第１実施形態）
図１を用いて、本発明にかかる盗撮防止装置１の概要について説明する。盗撮防止装置１は、ホールド型表示装置における表示画像の盗撮防止装置であって、妨害画像データ生成手段３、中間周波数成分除去手段５、および重畳手段７を備えている。
【００２８】
妨害画像データ生成手段３は、複数の妨害画像データ生成部１３a〜nと、引数付与部１５を有する。妨害画像データ生成部１３a〜nは、引数が与えられると与えられた引数に対応した妨害画像データを生成する。引数付与部１５は、各妨害画像データ生成部１３a〜nが異なる妨害画像データを生成するよう、引数を与える。
【００２９】
中間周波数成分除去手段５は、妨害画像データ生成部１３a〜nから妨害画像データが与えられると、この妨害画像データを表示した場合に、人間が当該妨害画像データを認識できないように、時空間コントラスト感度に関してその下限設定値よりも高く、かつ、上限設定値よりも低い周波数成分を除去する。
【００３０】
重畳手段７は、前記除去後の妨害画像を、入力画像に重畳させる。表示手段１１は、中間周波数が除去された妨害画像が重畳された入力画像を表示する。これにより、所望の妨害画像を用いて盗撮防止処理が可能となる。
【００３１】
図２に盗撮防止装置１の詳細ブロック図を示す。この実施形態は、タイミング生成部２２，妨害画像発生器２３a〜n、コントラスト感度特性の逆フィルタ２１、加算器３１を備えている。
【００３２】
本実施形態においては、妨害画像発生器２３a〜nとして、擬似ランダム発生器を採用した。擬似ランダム発生器とは、引数と内部状態の組み合わせが、出力値と一対一の関係となる、すなわち、同じ引数には同じ組み合わせの乱数を出力するランダム発生器をいう。本実施形態においては、擬似ランダム発生器として、メルセンヌツイスタ（MT）法を採用したが、これに限定されない。また、擬似ランダム関数の出力は通常一様分布であるが本発明ではこれに限定することなく、ガウス分布などを含む非一様分布であってもよい。
【００３３】
タイミング生成部２２は、妨害画像発生器２３a〜nに、それぞれ異なる引数を与える。この場合、妨害画像発生器２３aに引数「t」、妨害画像発生器２３bに引数「t-1」、妨害画像発生器２３cに引数「t-2」・・・・妨害画像発生器２３nに引数「t-(n-1)」を与える。これにより、各妨害画像発生器に異なる引数が与えられる。
【００３４】
複数の妨害画像発生器２３a〜nを採用したのは、次のような理由による。時間コントラスト感度における中間周波数成分を除去するためには、その下限値の周波数成分が少なくとも１周期分必要である。これらをフレームメモリで保持することも考えられるが、フレームメモリおよびその制御回路を必要な数だけ設けるとその分、製造コストが高くなる。そこで、本実施形態においては、妨害画像を動的に生成し、これによりフレームメモリを不要とした。
【００３５】
コントラスト感度特性の逆フィルタ２１について説明する。本実施形態においては、時間ＣＳＦ逆特性フィルタで時間的に中間周波数成分を除去した後、空間ＣＳＦ逆特性フィルタで空間的に中間周波数成分を除去するようにした。
【００３６】
時間フィルタのあと、空間フィルタにより処理することにより、余分なフレームメモリが不要となる。
【００３７】
ただ、これに限定されず、３次元フィルタとしてまとめて除去することもできる。また、これらは、線形フィルタとしての実装を前提としているが、より視覚に忠実を期すために非線形であってもよい。
【００３８】
本実施形態においては、時間CSF逆特性フィルタおよび空間CSF逆特性フィルタとして、BEFフィルタを採用し、カットオフ周波数として、前者は3Hz〜50Hz、後者は、2cycle/deg〜7cycle/degとした。このように、中間周波数成分をカットすることにより、妨害画像から人間が認識できる成分が除去される。特に、低周波成分があることにより、より、わかりにくくなるという利点がある。
【００３９】
かかるカットオフ周波数は厳密にこれに限定されない。多少狭くしても、人間の目で確実に認識できるわけではなく、特に、時間および空間CSF逆特性フィルタを併用した場合、より人間の目では認識しにくくなるからである。
【００４０】
本実施形態においては、時間CSF逆特性フィルタのカットオフ周波数として3Hz〜50Hzとしたが、人間の目にはより見えにくくするためには、5Hz〜40Hzとし、さらに見えにくくするには、9Hz〜20Hzとすればよい。また、空間CSF逆特性フィルタのカットオフ周波数として 2cycle/deg〜7cycle/degとしたが、より人間の目には見えにくくするためには、 1cycle/deg〜20cycle/degとし、さらに見えにくくするには、30cycle/deg以下は全てカットするようにしてもよい。なお、CSF逆特性フィルタにおいては、視距離および／または画素の密度により、カットオフ周波数の上限を設定しにくい場合がある。その場合には、下限のみ設定してもよい。
【００４１】
コントラスト感度特性の逆フィルタ２１から与えられた中間周波数帯域除去後の妨害画像は、加算器３１（図２参照）にて、入力画像データに重畳される。重畳後の画像はLCDパネル２７に表示される。表示される画像には中間周波数帯域除去後の妨害画像が重畳された画像が表示されるので、人間の目では認識できないが、カメラで撮影したあと、これをモニタ等に表示させた場合には、妨害画像を写りこませることができる。
【００４２】
本実施形態においては、動的な擬似ランダム関数は比較的小規模なロジックで実現でき、フレームメモリとその制御回路を持つよりも製造コストを押さえることができる。また入力引数として、下図のようにフレーム番号を援用することで所望のフレーム番号に対応した妨害画像を生成できる。
【００４３】
このように、特定の周波数成分だけの妨害画像を用いるのではなぐ、疑似乱数で生成した任意の妨害画像を用いて、人間にはほとんど認識できない妨害画像を重畳させることができる。
【００４４】
なお、妨害画像発生器２３a〜nについては、タイムシェアリングして、妨害画像を生成させるようにしてもよい。これにより妨害画像発生器の個数を減らすことができる。
【００４５】
（２.第２実施形態）
上記実施形態においては、妨害画像として、疑似乱数で生成した妨害画像を採用したが、任意の画像として、所定の文字をロゴ化したロゴ画像を記憶しておき、かかるロゴ画像の表示位置をランダムに変更して表示するようにしてもよい。
【００４６】
図３に、ロゴ画像を妨害画像として用いる場合の構成を示す。ロゴ画像メモリ３４には表示を希望するロゴが記憶されている。ロゴ位置発生部４１は、ランダムに表示位置を決定する。ロゴ画像発生器３５a〜３６nは、ロゴ画像メモリ３４をロゴ位置発生部４１から与えられた表示位置に表示したロゴ画像を生成する。ここで、ロゴ画像発生器３５a〜３６nには、同じ位置情報が与えられるわけではない。すなわち、遅延器３６a〜３６n-1が直列接続されており、遅延器間に各ロゴ画像発生器が接続されている。これにより、各遅延器３６a〜３６n-1は、接続されているロゴ画像発生器に対して、それぞれ１タイミング前の表示位置を与える。これにより、挿入するロゴ画像の位置を変更したロゴ画像を生成することができる。コントラスト感度特性の逆フィルタ２１以降の処理は同様である。
【００４７】
なお、図３は、表示する位置情報のみを受け渡すようにしたが、ロゴの大きさや複製する枚数を変化させるようにしてもよい。その場合は、それらの情報も位置情報と同じように生成し受け渡せばよい。
【００４８】
（３.第３実施形態）
第２実施形態においては、ロゴ画像はメモリアクセスを必要とするため、並列数を多くするためにはその分だけ、複雑化し製造コストが高くなる。また、擬似ランダム画像を採用する場合であっても、１フレーム分の演算処理が必要となる。そこで、発生させる妨害画像を１フレームの一部とするようにしてもよい。
【００４９】
図４はかかる構成において、コントラスト感度特性の逆フィルタ２１に与えるデータとして実際の妨害画像を用いず、エリア特定情報だけを用いた実施形態である。すなわち、順列接続された妨害画像エリア発生器５５a〜nは、タイミング生成器５１で生成されたデータに基づいて、妨害画像エリアを特定する妨害画像エリア特定情報を決定する。ここで、妨害画像エリア発生器５５a〜５５nには、同じ値が与えられるわけではない。図４に示すように遅延器５６a〜５６n-1が直列接続されており、遅延器間に各妨害画像エリア発生器が接続されている。これにより、各遅延器５６a〜５６n-1は、接続されている妨害画像エリア発生器に対して、それぞれ１タイミング前のデータを与える。これにより、異なる妨害画像エリア特定情報を生成することができる。
【００５０】
かかる妨害画像エリア特定情報は、コントラスト感度特性の逆フィルタ２１に与えられる。コントラスト感度特性の逆フィルタ２１は、妨害画像領域についての視覚逆特性を加味した減衰値を出力する。この減衰値と、妨害画像発生器５８から与えられた妨害画像とを掛け合わせることで、入力画像に重畳すべき最終妨害画像を生成することができる。
【００５１】
本実施形態においては、生成したエリア特定情報の画素について、コントラスト感度特性の逆フィルタ２１で減衰値が得られる。その後、妨害画像生成器からのデータと掛け合わせるので、動画の妨害画像を用いた場合でも、処理のためのフレームメモリが必要ない。
【００５２】
なお、生成したエリア特定情報の画素についての減衰値に妨害画像生成器をかけた後のデータをコントラスト感度特性の逆フィルタ２１に与えるようにしてよい。
【００５３】
また、図４に示す妨害画像発生器４８なしで、コントラスト感度特性の逆フィルタ２１の出力と入力画像を加算するようにしてもよい。これにより、ランダム発生させた妨害エリアの領域に対応する入力画像が妨害画像領域とみなして処理することができる。これにより、ロゴ画像がなくても、部分的なボケ画像を表示することができる。例えば、かかる妨害エリアの形状を表示するモニタによって変更しておけば、撮像されたモニタを特定することもできる。
【００５４】
このように、コントラスト感度特性の逆フィルタ２１から出力される各妨害画像エリアについての視覚逆特性を加味した減衰値を、妨害画像として把握することもできる。
【００５５】
（４.他の実施形態）
なお、第２，第３の実施形態において、図５のように、１の妨害画像発生器２３と複数のフレームメモリ６１a〜nを用いて構成することもできる。
【００５６】
また、入力画像に基づいて、マスキング逆特性フィルタによって妨害画像のダイナミックレンジを減衰させるようにしてもよい。入力画像を複数の領域に分けて、各領域において隣接する画素とのコントラスト比を求める。求めたコントラスト比が、予め設定した閾値よりも低ければ、妨害画像のダイナミックレンジを減衰させる。かかるデータ処理をした後、上記入力画像と重畳させる。ここで、マスキング逆特性フィルタとは、ある閾値よりも入力画像のコントラスト（微分値）が低ければ、妨害画像のダイナミックレンジを減衰させる、一般的な縮退（shrinkage）フィルタである。
【００５７】
人間には、ある位置における画素のコントラスト比が高い場合には、その周囲にコントラスト比が低い画素があっても、その差は知覚しにくいという特性を有する（図６参照）。図６では、横軸にマスクコントラスト、縦軸に対象のコントラスト比を採用した。グラフに示すように一定値までは、マスクコントラストが大きくなっても対象のコントラスト比はほぼ一定であるが、これを越えるとマスクコントラストが大きくなると、対象のコントラスト比も大きくなる。かかる特性を利用することにより、入力画像の各領域のコントラスト比に応じて、より、妨害画像を認識しにくくすることができる。
【００５８】
モニタ上で表示しているコントラストと、写真に映し出したコントラスト比は異なるため、写真でもマスキング効果が維持されるとは限らないため、本手法では有効である。
【００５９】
なお、入力画像の各領域のコントラスト比が、予め設定した閾値よりも高い場合には、妨害画像のダイナミックレンジを増幅させるようにしてもよい。
【００６０】
また、入力画像のコントラストの測定には、ラプラシアン（Laplacian）フィルタを用いてもよい。
【００６１】
図２に示すコントラスト感度特性の逆フィルタ２１の変形例について説明する。上記実施形態においては、中間周波数成分を除去するようにしたが、中間周波数成分よりも高い高周波成分または低い低周波成分のみを通過させるようにしてもよい。たとえば、時間CSF逆特性フィルタとして、カットオフ周波数を約50Hzとすればよい。かかるハイパスフィルタとしては、例えば、バターワース型の1次元HPFを採用することができる。また、空間CSF逆特性フィルタとしてカットオフ周波数を30cycle/degとすればよい。例えば、バターワース型の2次元HPFを採用することができる。
【００６２】
このように中間周波数帯域だけでなく、低周波数成分または高周波成分だけを通過させるフィルタを用いることにより、簡易な構成のフィルタで任意画像による妨害画像を重畳させることができる。
【００６３】
なお、上記実施形態においては、妨害画像および入力画像データは輝度値を採用した。したがって、逆ガンマ補正等は行わず、入力画像へ妨害画像を重畳させた。しかし、輝度値を計算できるデータ、たとえばＲＧＢ値であってもよい。また、かかる妨害画像および入力画像データが輝度値単位cd/m2と１次の関係式で表せない場合には、変換テーブルで関係を補正するようにすればよい。たとえば、逆ガンマ補正である。
【００６４】
また、上記実施形態においては、輝度ＣＳＦを利用した場合について説明したが、色差ＣＳＦを利用して、人間の目には認識できないようにしてもよい。
【００６５】
さらに、液晶モニタではなく、有機ＥＬなど、ホールド型のモニタであれば、表示面から直線偏光光を照射するモニタであれば同様に適用することができる。
【００６６】
本実施形態においては、デジタルデータの重畳については加算器で加算するようにしたが、乗算するようにしてもよい。
【００６７】
また、本実施形態の盗撮防止装置を含む表示装置として構成することもできる。
【００６８】
本実施形態においては、図２に示すように、複数の妨害画像データ生成器２３a〜nを列配置し、各妨害画像データ生成器２３a〜nに対して与える引数として、その配置位置に応じて、順次大きくまたは小さくなる値とした。しかし、これに各妨害画像データ生成器２３a〜nが異なる妨害画像データを生成するのであれば、どのような構成であってもよく、たとえば、複数の妨害画像データ生成器に与えられる引数は１つとし、各妨害画像データ生成器内で、順次列配置されている位置に応じて、ズレるように構成してもよい。たとえば、妨害画像データ生成器の内部で、１つ目の妨害画像データ生成器は与えられた引数に応じて＋０、２つ目の妨害画像データ生成器は＋１、3つ目の妨害画像データ生成器は＋２・・・という値を加算してから演算を行うようにしてもよい。
【００６９】
本明細書に開示した盗撮防止装置を、盗撮防止装置のための妨害画像生成装置として、構成してもよい。
【００７０】
（５.他の発明としての開示）
本件明細書に開示した装置または方法の一部を、下記に述べる装置または方法として把握することもできる。
【００７１】
ホールド型表示装置における表示画像の盗撮防止装置であって、
閾値を記憶する閾値記憶手段、
入力画像について、隣接する画素との関係で、コントラストの微分値が前記閾値よりも小さい場合には、前記除去後の妨害画像のダイナミックレンジを減衰させる減衰手段、
前記減衰後の妨害画像データを、入力画像に重畳させる重畳手段、
を備えたことを特徴とする盗撮防止装置。
【図１】
2012060286.tif 000003
【図２】
2012060286.tif 000004
【図３】
2012060286.tif 000005
【図４】
2012060286.tif 000006
【図５】
2012060286.tif 000007
【図６】
2012060286.tif 000008
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
ホールド型表示装置における表示画像の盗撮防止装置であって、
任意の妨害画像データが与えられると、時間または空間コントラスト感度に関して、前記妨害画像データを表示した場合に人間が当該妨害画像データを認識できる周波数成分を除去する特定周波数成分除去手段、
前記除去後の妨害画像を、入力画像に重畳させる重畳手段、
を備えたことを特徴とする盗撮防止装置。
【請求項２】
請求項１の盗撮防止装置において、
前記特定周波数成分除去手段は、時間または空間コントラスト感度に関して前記妨害画像データを表示した場合に人間が当該妨害画像データを認識できる下限設定値よりも高く、かつ、その上限設定値よりも低い周波数である中間周波数成分を除去すること、
を特徴とする盗撮防止装置。
【請求項３】
請求項１または請求項２の盗撮防止装置において、
前記特定周波数成分除去手段は、前記中間周波数よりも高い高周波成分または、前記中間周波数よりも低い低周波成分をも除去すること、
を特徴とする盗撮防止装置。
【請求項４】
請求項１〜請求項３のいずれかの盗撮防止装置において、
妨害画像データを生成して、前記特定周波数成分除去手段に与える手段であって、下記1)、2)を有する妨害画像データ生成手段、
1)引数が与えられると妨害画像データを生成する、複数の妨害画像データ生成部、
2)前記各妨害画像データ生成器が異なる妨害画像データを生成するよう、引数を与える引数付与部、
を備えたことを特徴とする盗撮防止装置。
【請求項５】
請求項４の盗撮防止装置において、
前記各妨害画像データ生成部は、列配置されており、同じ引数が与えられる場合には、同じ妨害画像を生成する生成部を有しており、
前記引数付与部が、前記各生成部に対して与える引数は、その配置位置に応じて、順次大きくまたは小さくなる値であること、
を特徴とする盗撮防止装置。
【請求項６】
請求項４の盗撮防止装置において、
前記引数付与手段から前記各妨害画像データ生成器に与えられる引数は１つであり、
前記各妨害画像データ生成器は、同じ引数が与えられた場合に生成する妨害画像データが列配置されている位置によって、異なるよう構成されていること、
を特徴とする盗撮防止装置。
【請求項７】
請求項１〜３のいずれかの盗撮防止装置において、
複数フレームの妨害画像データを記憶する妨害画像データ記憶手段を備え、
前記特定周波数成分除去手段は、前記複数フレームの妨害画像データを用いて、前記妨害画像データを表示した場合に人間が当該妨害画像データを認識できる周波数成分を時間コントラスト感度に関して除去すること、       
を特徴とする盗撮防止装置。
【請求項８】
請求項７の盗撮防止装置において、
前記妨害画像データ記憶手段は、前記特定周波数成分除去手段が除去する下限設定値周波数成分の少なくとも1周期分の画像を記憶できる数のフレームメモリを有すること、
を特徴とする盗撮防止装置。
【請求項９】
請求項１の盗撮防止装置において、
妨害画像データを生成して、前記特定周波数成分除去手段に与える妨害画像データ生成手段であって、下記1)〜4)を有する妨害画像データ生成手段、
1)妨害画像として表示する図形または文字を基礎画像として記憶する基礎画像記憶手段、
2)前記基礎画像の表示位置をランダムに決定する表示位置決定手段、
3)前記基礎画像の表示位置および前記基礎画像が与えられると、前記基礎画像を前記表示位置に表示させた画像を生成する画像生成器が複数、列方向配置された列方向配置画像生成器、
4)前記複数の画像生成器に対して、それぞれ1フレームずつ遅延した位置情報を前記妨害画像生成手段にあたえる遅延手段、
を備えたことを特徴とする盗撮防止装置。
【請求項１０】
請求項１の盗撮防止装置において、
1フレームの一部領域の妨害画像データを生成して、前記中間周波数成分除去手段に与える妨害画像データ生成手段であって、下記1)〜3)を有する妨害画像データ生成手段、
1)1フレームの一部領域分の妨害画像データを生成する画像生成器が複数、列方向配置された列方向配置画像生成器、
2)前記複数の画像生成器から複数の妨害画像を出力する妨害画像生成手段、
3)前記列方向配置された画像生成器に対して、それぞれ1フレーム分遅延した位置情報を前記妨害画像生成手段にあたえる遅延手段、
を備えたことを特徴とする盗撮防止装置。
【請求項１１】
請求項１〜１０のいずれかの盗撮防止装置において、
前記特定周波数成分除去手段から出力された前記除去後の妨害画像に対してマスキング逆特性処理を行うマスキング逆特性選択除去手段であって、
下記を備えたこと、
a)閾値を記憶する閾値記憶手段、
b)入力画像について、隣接する画素との関係で、コントラストの微分値が前記閾値よりも小さい場合には、前記除去後の妨害画像のダイナミックレンジを減衰させる減衰手段、
を特徴とする盗撮防止装置。
【請求項１２】
ホールド型表示装置における表示画像の盗撮防止装置であって、
任意の妨害画像データが与えられると、時間または空間コントラスト感度に関して、前記妨害画像データを表示した場合に人間が当該妨害画像データを認識できる下限設定値よりも高く、かつ、その上限設定値よりも低い周波数である中間周波数成分を除去することにより、前記妨害画像データから前記中間周波数よりも高い高周波成分および前記中間周波数よりも低い低周波成分を残した妨害画像を得る特定周波数成分除去手段、
前記高周波成分および前記低周波成分を残した妨害画像データを、入力画像に重畳させる重畳手段、
を備えたこと、
を特徴とする盗撮防止装置。
【請求項１３】
請求項１〜請求項１２のいずれかの盗撮防止装置を有するホールド型表示装置。
【請求項１４】
請求項２〜請求項１２のいずれかの盗撮防止装置、
妨害画像データを生成して、前記特定周波数成分除去手段に与える手段であって、下記1)〜4)を有する妨害画像データ生成手段、
1)妨害画像として表示する図形または文字を基礎画像として記憶する基礎画像記憶手段、
2)前記基礎画像の表示位置をランダムに決定する表示位置決定手段、
3)前記基礎画像の表示位置および前記基礎画像が与えられると、前記基礎画像を前記表示位置に表示させた画像を生成する画像生成器が複数、列方向配置された列方向配置画像生成器、
4)前記複数の画像生成器に対して、それぞれ1フレームずつ遅延した位置情報を前記妨害画像生成手段にあたえる遅延手段、
を備え、
前記重畳手段は、加算器または乗算器を備えており、この加算器または乗算器により、前記中間周波数が除去された妨害画像データと前記入力画像を重畳し、
さらに、前記重畳されたデータを表示する表示手段を有すること、
を特徴とする盗撮防止機能付き表示装置。
【請求項１５】
ホールド型表示装置における表示画像の盗撮防止装置であって、
1フレームの一部領域分である部分妨害画像を生成する１の画像生成器、
前記妨害画像が複数フレーム間で1フレームずつ遅延した位置で表示されるように前記部分妨害画像の表示位置を決定する表示位置決定手段、
前記決定された表示位置に部分妨害画像データが表示された場合に、その部分妨害画像データの領域の各画素について、時間コントラスト感度に関する減衰データを演算する減衰データ演算手段であって、
前記各フレームの減衰データによって、前記画像生成器から与えられる部分妨害画像の各画素値を減衰させた妨害画像を求める減衰後妨害画像データを演算する減衰後妨害画像データ演算手段、
入力画像と重畳する重畳手段
を備え、
前記各フレームの減衰データは、前記減衰後妨害画像データが、前記部分妨害画像を表示した場合に人間が当該部分妨害画像を認識できる下限設定値よりも高く、かつ、その上限設定値よりも低い周波数である中間周波数成分を除去することにより、前記妨害画像データから前記中間周波数よりも高い高周波成分および前記中間周波数よりも低い低周波成分を残した妨害画像が得られるデータであること、
を特徴とする盗撮防止装置。